(57)【要約】【課題】位相コントラスト撮影を行う放射線撮影装置において、位相コントラスト撮影が可能となる被写体位置の範囲を拡大し、より多くの患者の撮影に適用可能とする。【解決手段】本発明に係る乳房画像撮影装置１によれば、制御装置１６は、入力装置１４ａの位置調整スイッチが押下されると、これに応じて駆動装置１７を制御して被写体台１０の位置を調整する。撮影技師等の操作者により圧迫板１１の位置が調整されて被写体Ｈが押圧、固定され、入力装置１４ａにより位相コントラスト撮影における拡大率が入力されると、制御装置１６は、被写体台１０及び圧迫板１１の位置、及び入力された拡大率に応じて駆動装置１９を制御して保持部材８を昇降させることにより、被写体台１０に対する放射線源６及び検出器保持部１２の相対的距離を、拡大率＝（Ｒ１＋Ｒ２）／Ｒ１を満たす距離に調節する。【選択図】図１
2007105146.tif 000002
【特許請求の範囲】
【請求項１】
焦点サイズＤが３０（μｍ）以上の放射線源と、被写体を透過した前記放射線源からの放射線を検出する放射線画像検出器を保持する検出器保持手段と、前記放射線源と前記検出器保持手段との間に配置された被写体固定用の被写体台と、を備え、前記放射線源から前記被写体までの距離Ｒ１をＲ１≧（Ｄ−７）／２００（ｍ）として位相コントラスト撮影を行う放射線画像撮影装置において、
前記放射線源と前記検出器保持手段とを一定の距離に維持するための保持手段と、
前記被写体台に対する前記放射線源及び前記検出器保持手段の相対距離を調節する調節手段と、
を備えたことを特徴とする放射線画像撮影装置。
【請求項２】
前記放射線源と前記検出器保持手段との距離Ｌ（ｍ）が０．９５（ｍ）以上であることを特徴とする請求項１に記載の放射線画像撮影装置。
【請求項３】
焦点サイズＤ＝１００（μｍ）であることを特徴とする請求項２に記載の放射線画像撮影装置。
【発明の詳細な説明】
【技術分野】
【０００１】
本発明は、本発明は、放射線画像撮影装置に係り、特に、位相コントラスト画像を撮影することが可能な放射線画像撮影装置に関する。
【背景技術】
【０００２】
一般に、放射線が物質を透過する作用を利用する放射線画像撮影装置は、医療用画像診断や非破壊検査等に広く利用されている。特に乳房撮影に用いられる放射線画像撮影装置については、通常、放射線画像検出器と一体化した被写体台上に被写体を固定し、撮影する方法が行われてきた。しかし、この方法によると被写体が実寸大で撮影されることとなるが、画像のコントラストが十分に上がらず、乳房の病変部分等の特定部位の微細な構造を判読するために用いられる医療用撮影装置としては画像の鮮明さが不十分であるという問題があった。
【０００３】
そこで、近年、位相コントラスト画像を撮影する放射線画像撮影装置が提案されている。位相コントラスト画像とは、屈折コントラスト画像とも呼ばれるもので、以前はＳＰｒｉｎｇ−８など放射線源から得る単色の平行放射線による撮影や、１０（μｍ）程度の焦点サイズをもつマイクロ焦点放射線源による撮影によって得られるものと言われていたが、一般の医療施設等で用いられる放射線源（焦点サイズが３０〜３００（μｍ）の小焦点放射線源）でも得ることが可能であることが分かってきた。
【０００４】
例えば、特許文献１には、大型の装置を必要とするシンクロトロン放射光や、点光源と見なせるまでＸ線焦点サイズの小さなＸ線光源を用いることなく、エッジ強調の効果を得る技術が記載されている。この特許文献１によれば、Ｘ線焦点サイズＤが３０（μｍ）以上であるとき、放射線源であるＸ線管から被写体までの距離Ｒ１がＲ１≧（Ｄ−７）／２００（ｍ）の式を満足する領域であり、かつ被写体とＸ線検出器との距離Ｒ２が０．１５（ｍ）以上である場合に、エッジ強調画像が得られることが示されている。このとき、拡大率＝（Ｒ１＋Ｒ２）／Ｒ１の拡大撮影となる。
【０００５】
ところで、従来、位相コントラスト撮影を行う放射線画像撮影装置において拡大率を変更する場合、例えば、特許文献２に示すように、上述のＲ１を固定とし、Ｒ２を変更することで行っている。
【特許文献１】特開２００１−９１４７９号公報
【特許文献２】特開２００４−１７３８７９号公報
【発明の開示】
【発明が解決しようとする課題】
【０００６】
図７に、従来の放射線画像撮影装置において位相コントラスト撮影により乳房を撮影する際の放射線源６、被写体Ｈ、放射線画像検出器（Ｘ線検出器）を保持する検出器保持部１２（図中の数字は拡大率を示す）、位相コントラスト撮影を行う撮影室における床面（floor）及び天井（ceiling）の位置関係を模式的に示す。従来の放射線画像撮影装置においては放射線源６と被写体Ｈとの距離Ｒ１が固定となっているため、被写体Ｈの位置からＲ１の距離だけ垂直方向上方に放射線源６が位置する。即ち、被写体位置（被写体Ｈが乳房である場合、床面から被写体Ｈまでの高さ）に応じて放射線源６のトップの位置が高くなる。一方、撮影室の空間には限度がある。従って、身長が高い患者等、被写体Ｈとなる乳房の位置が高く、被写体Ｈの位置と天井との距離がＲ１に満たない場合、撮影を行えないこととなる。また、検出器保持部１２の位置は、被写体Ｈの位置と拡大率に基づき決まり、拡大率が大きくなるほどＲ２は大きくなる。そのため、身長が低い患者等、被写体Ｈとなる乳房の位置が低いと撮影可能な拡大率が制限される場合がある。
【０００７】
本発明の課題は、位相コントラスト撮影を行う放射線撮影装置において、位相コントラスト撮影が可能となる被写体位置の範囲を拡大し、より多くの患者の撮影に適用可能とすることである。
【課題を解決するための手段】
【０００８】
上記課題を解決するため、請求項１に記載の発明は、
焦点サイズＤが３０（μｍ）以上の放射線源と、被写体を透過した前記放射線源からの放射線を検出する放射線画像検出器を保持する検出器保持手段と、前記放射線源と前記検出器保持手段との間に配置された被写体固定用の被写体台と、を備え、前記放射線源から前記被写体までの距離Ｒ１をＲ１≧（Ｄ−７）／２００（ｍ）として位相コントラスト撮影を行う放射線画像撮影装置において、
前記放射線源と前記検出器保持手段とを一定の距離に維持するための保持手段と、
前記被写体台に対する前記放射線源及び前記検出器保持手段の相対距離を調節する調節手段と、
を備えたことを特徴としている。
【０００９】
請求項２に記載の発明は、請求項１に記載の発明において、
前記放射線源と前記検出器保持手段との距離Ｌ（ｍ）が０．９５（ｍ）以上であることを特徴としている。
【００１０】
請求項３に記載の発明は、請求項２に記載の発明において、
焦点サイズＤ＝１００（μｍ）であることを特徴としている。
【発明の効果】
【００１１】
請求項１に記載の発明によれば、位相コントラスト撮影を行う放射線撮影装置において、位相コントラスト撮影が可能となる被写体位置の範囲が拡大されるので、より多くの患者の撮影に適用可能となる。
【００１２】
請求項２、３に記載の発明によれば、撮影された画像の位相コントラスト効果を保証することができる。
【００１３】
（乳房画像撮影装置１）
本実施の形態に係る乳房画像撮影装置１は、位相コントラスト撮影を行う放射線撮影装置である。以下、図を参照して乳房画像撮影装置１の構成について説明する。
図１、２に、乳房画像撮影装置１の構成例を示す。図１は、乳房画像撮影装置１の外観構成例を示す図であり、図２は、図１に示す乳房画像撮影装置１の撮影装置本体部２の内部構成を模式化して示す図である。なお、図２において、操作装置１４、電源部１５、駆動装置１７及び駆動装置１９は本体部９の制御装置１６（図３に図示）に接続されているが、ここでは図示しない。図１に示すように、乳房画像撮影装置１は、本体部９に支持基台３が昇降自在に設けられており、支持基台３には、支持基台３に設けられた支軸４を介して撮影装置本体部２が支持されている。支持基台３は、モータ等により構成される駆動装置１７に駆動されて昇降する。撮影装置本体部２は、駆動装置１７による支持基台３の昇降により昇降可能となっており、また、駆動装置１７により前記支軸４を支点として回動可能となっている。
【００１４】
撮影装置本体部２の上部には放射線を放射するための放射線源６が設けられ、この放射線源６は、支軸４及び支持基台３を介して本体部９と接続されている電源部１５に接続されている。放射線源６は、この電源部１５によって管電圧及び管電流を印加されるようになっている。放射線源６の放射線放射口には、放射線照射野を調節する照射野調整装置としての絞り装置７の絞り口が、開閉自在に設けられている。
【００１５】
放射線源６としては、回転陽極Ｘ線管とすることが好ましい。この回転陽極Ｘ線管においては、陰極から放射される電子線が陽極に衝突することでＸ線が発生する。これは自然光のようにインコヒーレント（非干渉性）であり、また平行光Ｘ線でもなく発散光である。電子線が陽極の固定した場所に当り続けると、熱の発生で陽極が傷むので、通常用いられるＸ線管では陽極を回転して陽極の寿命の低下を防いでいる。電子線を陽極の一定の大きさの平面に衝突させ、発生したＸ線はその一定の大きさ陽極の平面から被写体Ｈに向けて放射される。この平面を焦点（フォーカス）と呼ぶ。焦点サイズＤ（μｍ）は、焦点が正方形の場合、その一辺の長さを、焦点が長方形や多角形の場合、その短辺の長さを、焦点が円形の場合、その直径をさす。
【００１６】
焦点サイズＤが大きくなるほど照射される放射線量が多くなる。人体を透過するには実用上一定以上の放射線量が必要であるため、乳房画像撮影装置１では、人体を撮影するのに必要な放射線量を照射可能である焦点サイズＤがＤ≧３０（μｍ）であることが好ましい。
【００１７】
撮影装置本体部２の下部には、被写体Ｈを透過した放射線を検出する放射線画像検出器として例えば輝尽性蛍光体シートを収納したカセッテを保持する検出器保持部１２が被写体台１０の下方であって放射線源６から略垂直に延在する位置に、放射線源６に対向するように取り付けられている。検出器保持部１２に保持された放射線画像検出器の最上面は、検出器保持部１２の最上面と一致する。放射線源６と検出器保持部１２は、図２に示すように保持部材８に取り付けられており、この保持部材８により放射線源６と検出器保持部１２との距離Ｌ（後述するＲ１＋Ｒ２）が一定距離に維持されている。この保持部材８は、モータ等により構成される駆動装置１９の駆動により昇降可能となっており、駆動装置１９による保持部材８の昇降により放射線源６及び検出器保持部１２が一定距離を保ちつつ昇降するようになっている。この放射線源６と検出器保持部１２との距離Ｌは、鋭意研究の結果、撮影画像の出力時の視認性の点からＬ≧０．９５（ｍ）とすることが好ましいことがわかった（図６参照）。
【００１８】
放射線画像検出器としては、上述の輝尽性蛍光体シートを収納したカセッテの他、例えば、スクリーン（増感紙）／フィルム、ＦＰＤ（flat panel detector）等を用いることとしてもよい。
【００１９】
撮影装置本体部２における放射線源６の下方及び検出器保持部１２の上方であって放射線源６から略垂直に延在する位置には、被写体Ｈを下から保持する被写体台１０及び被写体Ｈを上部から圧迫して固定するための圧迫板１１が配設されている。被写体台１０は、図２に示すように、撮影装置本体部２のホルダー５に取り付けられており、駆動装置１７による撮影装置本体部２の昇降に応じて昇降する。これにより、被写体Ｈの位置（乳房位置）に応じて被写体台１０の高さの調整が可能となっている。圧迫板１１は、撮影装置本体部２内に設けられた図示しない支持軸に沿って昇降可能に構成されている。
【００２０】
圧迫板１１の位置は、位置検知部１８（図３に図示）により検知され、本体部９の制御装置１６に出力される。位置検知部１８としては、赤外線を用いた測光による方式、圧迫板をスライドする支持軸のレールに線抵抗を設けて、その抵抗値測定から位置判別する方式などが採用できる。
【００２１】
検出器保持部１２の被写体台１０に対向する面と反対の面には、照射された放射線量の検出を行う放射線量検出部１３が設けられ、この放射線量検出部１３により検出された放射線量は本体部９の制御装置１６に出力される。
【００２２】
本体部９は、ＣＰＵ（Central Processing Unit）、ＲＯＭ(Read Only Memory)、ＲＡＭ（Random Access Memory）により構成される制御装置１６を備えている。図３に、乳房画像撮影装置１の機能構成例を示す。図３に示すように、制御装置１６には、照射された放射線量を検出する放射線量検出部１３、撮影条件等の入力を行うキーボードやタッチパネル、被写体台１０の位置の調整を行うための位置調整スイッチ（上方に調整する上方調整スイッチ、下方に調整する下方調整スイッチ）等を備える入力装置１４ａ、及びＣＲＴディスプレイや液晶ディスプレイ等の表示装置１４ｂを有する操作装置１４、装置の動力源である電源部１５、支持基台３の昇降による撮影装置本体部２の昇降及び撮影装置本体部２の回転を行う駆動装置１７、圧迫板１１の位置を検知する位置検知部１８、及び保持部材８の昇降を行う駆動装置１９がバス２０を介して接続されている。制御装置１６のＲＯＭには、乳房画像撮影装置１各部を制御するための制御プログラムが記憶されており、ＣＰＵは、この制御プログラムとの協働により撮影装置１各部の動作を統括的に制御し、位相コントラスト撮影を行う。例えば、ＣＰＵは、入力装置１４ａの位置調整スイッチが押下されると、これに応じて駆動装置１７を制御して被写体台１０の位置を調整し、撮影技師等の操作者により圧迫板１１の位置が調整されて被写体Ｈが押圧、固定され、入力装置１４ａにより位相コントラスト撮影における拡大率が入力されると、被写体台１０及び圧迫板１１の位置及び入力された拡大率に応じて駆動装置１９を制御して保持部材８を昇降させることにより、被写体台１０に対する放射線源６及び検出器保持部１２の相対的距離を調節する。そして、入力装置１４ａにより撮影が指示されると、電源部１５により、放射線源６に管電圧及び管電流を印加して被写体Ｈに対して放射線を照射させ、放射線量検出部１３から入力された放射線量が予め設定された放射線量に達すると、電源部１５により放射線源６からの放射線の照射を停止させる。  
【００２３】
ここで、図４を参照して位相コントラスト撮影の原理について説明する。位相コントラスト撮影とは、被写体Ｈと放射線画像検出器との間に一定の距離Ｒ２を設けることで、図４に示すように放射線の屈折に起因するエッジ強調（屈折コントラスト強調）画像を得るものである。図４に模式的に描くように、放射線が物体を通過するときに屈折して物体の境界内側の放射線密度が疎になり、さらに物体の外側は物体を通過しない放射線と重なることから放射線密度が上昇する。このようにして被写体境界部分であるエッジが画像として強調される。これは物体と空気との放射線に対する屈折率の差から生じる現象である。これがエッジ強調画像である。
【００２４】
さらに図４で原理的に示す空気と被写体との境界でのエッジ強調のみならず、物体内においても屈折率の異なる部分の境界部分も同様な効果が得られる。本発明での被写体境界部分とは放射線の屈折率の異なる物質との境界部分と表現することができる。
【００２５】
医療施設における実用範囲の感度領域及び装置サイズでこのエッジ強調画像を得るものとして、焦点サイズＤ（μｍ）が３０（μｍ）以上であるとき、放射線源６から被写体Ｈまでの距離Ｒ１がＲ１≧（Ｄ−７）／２００（ｍ）の式を満足する領域であり、かつ被写体Ｈと放射線画像検出器との距離Ｒ２が０．１５ｍ以上であることが好ましいことがわかっている（特開２００１−９１４７９号公報参照）。ここで、Ｒ１≧（Ｄ−７）／２００（ｍ）の式において代入するＤは、焦点サイズをμｍを単位として表したときの数値であり、例えば、焦点サイズＤ＝３０（μｍ）であれば、Ｒ１≧（３０−７）／２００＝０．１１５（ｍ）となる。
【００２６】
Ｒ１≧（Ｄ−７）／２００（ｍ）の式で示す距離よりＲ１が小さいときにはエッジ強調画像を得られることが難しく、もしくは認識しにくくなる。また、Ｒ１は大きくなるにつれ、放射線の強度が弱くなり、さらに広い空間を要するようになる。
【００２７】
被写体Ｈから放射線画像検出器までの距離Ｒ２を０．１５（ｍ）以上離す構成とすることにより放射線画像の鮮鋭性を劣化させる被写体Ｈからの散乱線の除去を行うことや、さらにエッジ強調を認識しやすくしている。
【００２８】
Ｒ２を０．１５ｍ以上とすれば、拡大率＝（Ｒ１＋Ｒ２）／Ｒ１の拡大撮影となる。ここでＲ１については、その起点は放射線源６の焦点の位置であり、通常の市販の放射線源６にはその場所が明示されている。また終点は被写体位置を固定する被写体台１０により固定された被写体Ｈの中心線であり、ここでは被写体台１０と圧迫板１１から等距離にある位置を被写体Ｈの中心線としている。Ｒ２については起点は被写体Ｈの中心線であり、終点は放射線画像検出器の放射線を受ける平面の最上面、即ち、検出器保持部１２の最上面である。
【００２９】
乳房画像撮影装置１は、上記位相コントラストとしての効果（エッジ強調効果）を発揮しうるよう、焦点サイズＤ≧３０（μｍ）となっており、撮影時においては、制御装置１６により、放射線源６から被写体Ｈまでの距離Ｒ１≧（Ｄ−７）／２００（ｍ）、被写体Ｈと放射線画像検出器との距離Ｒ２≧０．１５（ｍ）を満たす範囲で被写体台１０に対する放射線源６及び検出器保持部１２の位置の調節が行われる。
【００３０】
即ち、撮影時において、入力装置１４ａにより撮影方向を含む撮影条件が入力されると、制御装置１６は、入力された撮影方向が撮影装置本体部２の回転を必要とする撮影方向であるか否かを判断し、回転を必要とする撮影方向である場合、例えば、乳房を斜位方向から撮影するＭＬＯ（Medio-Lateral Oblique）である場合、駆動装置１７により撮影装置本体部２全体を所定量回転させる。入力装置１４ａの位置調整スイッチが押下されると、制御装置１６は、これに応じて駆動装置１７を制御して被写体台１０の位置を調整する。撮影技師等の操作者により圧迫板１１の位置が調整されて圧迫板１１により被写体Ｈが押圧、固定され、入力装置１４ａにより位相コントラスト撮影における拡大率（本実施の形態においては、１、４６倍、１．７５倍、２．６３倍のなかから選択）が入力されると、制御装置１６は、被写体台１０の移動量及び位置検知部１８からの位置情報に応じて被写体Ｈの位置を特定し、被写体台１０及び圧迫板１１の位置及び入力された拡大率に応じて駆動装置１９を制御して保持部材８を昇降させることにより、被写体台１０に対する放射線源６及び検出器保持部１２の相対的距離を調節する。このとき、（Ｒ１＋Ｒ２）／Ｒ１が入力された拡大率となる放射線源６及び検出器保持部１２の位置を演算し、放射線源６及び検出器保持部１２が求められた位置となるように保持部材８を昇降させる。そして、入力装置１４ａにより撮影が指示されると、制御装置１６ａは、電源部１５により、放射線源６に管電圧及び管電流を印加して被写体Ｈに対して放射線を照射させ、放射線量検出部１３から入力された放射線量が予め設定された放射線量に達すると、電源部１５により放射線源６からの放射線の照射を停止させる。
【００３１】
なお、被写体台１０に対する放射線源６及び検出器保持部１２の相対的距離の調節は、Ｒ１≧（Ｄ−７）／２００（ｍ）、Ｒ２≧０．１５（ｍ）を満たす範囲で行う。制御装置１６は、入力された拡大率ではこの範囲を満たさなくなる場合、表示装置１４ｂにエラーメッセージを表示させる。
【００３２】
このように、制御装置１６が駆動装置１９を制御して保持部材８を昇降させることで、被写体台１０に対する放射線源６と検出器保持部１２の相対距離を調節する調節手段が実現される。
【００３３】
図５に、本実施の形態における乳房画像撮影装置１において乳房画像を撮影する際の放射線源６、被写体Ｈ、検出器保持部１２（図中の数字は拡大率を示す）、位相コントラスト撮影を行う撮影室における床面及び天井の位置関係を模式的に示す。図５に示すように、本実施の形態においては拡大率が変わってもＲ１＋Ｒ２の距離Ｌは一定であるので、従来のように、拡大率が大きくなるほど床面と検出器保持部１２との間の距離が必要となり、被写体位置が低いとその距離が確保できずに撮影可能な拡大率が制限されてしまうといったことがなくなる。その結果、位相コントラスト撮影が可能となる被写体位置の範囲を拡大し、より多くの患者に適用することが可能となる。
【００３４】
（乳房画像撮影装置１の視認性の評価）
以下、放射線源６と検出器保持部１２との距離Ｌと撮影画像の視認性評価結果について説明する。
図６に、放射線源６と検出器保持部１２との距離ＬであるＲ１＋Ｒ２を１５５５、１１４０、９５０、７５０（ｍｍ）とし、それぞれのＲ１＋Ｒ２に対して拡大率を１．７５倍、１．４６倍にして乳房撮影を行ったときの各撮影画像の視認性の評価結果を示す。評価は目視により４段階評価により行い、◎：きわめて良い、○：良い、△：普通、まあまあ（診断に許容される程度と判断できる）、×：悪い、とした。評価は、図６に示す各項目別に行った。
【００３５】
評価にあたっては、乳房画像撮影装置１はコニカミノルタ株式会社で試作したものを用い、放射線画像検出器は同社製レジウスプレートＲＰ−５ＰＭ及びレジウスカセッテＲＣ−１１０Ｍを用いた。焦点サイズＤは、Ｄ＝１００（μｍ）とした。乳房撮影後の放射線画像検出器は、コニカミノルタ株式会社製regius model 190で４３．７５（μｍ）の読取画素ピッチで読み取り、読み取った画像はdrypro  model 793で２５（μｍ）の書き込みピッチで出力した。このとき、読み取り画像の各画素と出力画像の各画素を１：１に対応させて補間処理を行わずに出力し、拡大率１．７５倍の画像はライフサイズ（実寸大）で、拡大率１．４６倍の画像は実寸の０．８３倍で出力した。また、拡大率１．４６倍の撮影時に、１．２５倍の拡大補間処理を行い、拡大補間された画像を用いて書き込みピッチ２５（μｍ）で出力を行ったが、図６に示す結果と視認性の差異は見られなかった。
【００３６】
ここで、「出力」項目に寄与する因子はＲ１の距離である。一般的に、Ｒ１が大きく、放射線画像検出器に到達する単位時間当たりの放射線量が少ないと十分な濃度が得られない。
「均一性」項目に寄与する因子はＲ１の距離である。一般的に、Ｒ１はＲ１が小さすぎると放射線画像検出器全面に放射線を照射できないため、ムラが生じ、均一性が低くなる。
「鮮鋭性」「粒状性」に寄与する因子は拡大率であり、一般的に、拡大率が大きいほど良好な画像となる。
「散乱線含有率」に寄与する因子はＲ２であり、一般的に、Ｒ２が大きいほど散乱線が除去され良好な画像となる。
「位相コントラスト効果（エッジ強調効果）」に寄与する因子は拡大率及びＲ２であり、拡大率及びＲ２がともに大きくするほど位相コントラスト効果が得られ、良好な画像となる。
「総合評価」は、画像全体の視認性の評価結果である。
【００３７】
視認性評価の結果、Ｒ１＋Ｒ２≧９５０（ｍｍ）の場合、位相コントラスト効果及び総合評価の双方が診断に許容される評価が得られた。即ち、Ｒ１＋Ｒ２≧９５０（ｍｍ）とすれば、Ｒ１＋Ｒ２を固定として位相コントラスト撮影を行う放射線画像撮影装置において診断に許容される画像を得ることが確認された。
【００３８】
なお、上記評価結果では、焦点サイズＤ＝１００（μｍ）の例を示したが、Ｄは３０（μｍ）以上であれば１００（μｍ）以外でも効果を有する。
【００３９】
以上、本実施の形態における乳房画像撮影装置１について説明してきたが、上記実施の形態における記述内容は、本発明に係る乳房画像撮影装置１の好適な一例であり、これに限定されるものではない。また、乳房画像撮影装置１の細部構成及び細部動作に関しても、本発明の趣旨を逸脱することのない範囲で適宜変更可能である。
【図面の簡単な説明】
【００４０】
【図１】本発明に係る乳房画像撮影装置１の構成例を示す図である。
【図２】乳房画像撮影装置１の撮影装置本体部２の内部構成を模式的に示す図である。
【図３】乳房画像撮影装置１の機能的構成を示すブロック図である。
【図４】位相コントラスト撮影の原理を説明するための図である。
【図５】乳房画像撮影装置１において乳房画像を撮影する際の、放射線源６、被写体Ｈ、検出器保持部１２、床面及び天井の位置関係を模式的に示す図である。
【図６】乳房画像撮影装置１において放射線源６と検出器保持部１２との距離Ｌ（Ｒ１＋Ｒ２）及び拡大率を変化させて撮影を行ったときの各撮影画像の視認性評価結果を示す図である。
【図７】従来の乳房撮影用の放射線画像撮影装置において乳房画像を撮影する際の、放射線源６、被写体Ｈ、検出器保持部１２、床面及び天井の位置関係を模式的に示す図である。
【符号の説明】
【００４１】
１  乳房画像撮影装置
２  撮影装置本体部
３  支持基台
４  支軸
６  放射線源
７  絞り装置
８  保持部材
９  本体部
１０  被写体台
１１  圧迫板
１２  検出器保持部
１３  放射線量検出部
１４  操作装置
１４ａ  入力装置
１４ｂ  表示装置
１５  電源部
１６  制御装置
１７  駆動装置
１８  位置検知部
１９  駆動装置
２０  バス
【図１】
2007105146.tif 000003
【図２】
2007105146.tif 000004
【図３】
2007105146.tif 000005
【図４】
2007105146.tif 000006
【図５】
2007105146.tif 000007
【図６】
2007105146.tif 000008
【図７】
2007105146.tif 000009
【手続補正書】
【提出日】平成17年10月18日(2005.10.18)
【手続補正１】
【補正対象書類名】明細書
【補正対象項目名】全文
【補正方法】変更
【補正の内容】
【発明の詳細な説明】
【技術分野】
【０００１】
本発明は、本発明は、放射線画像撮影装置に係り、特に、位相コントラスト画像を撮影することが可能な放射線画像撮影装置に関する。
【背景技術】
【０００２】
一般に、放射線が物質を透過する作用を利用する放射線画像撮影装置は、医療用画像診断や非破壊検査等に広く利用されている。特に乳房撮影に用いられる放射線画像撮影装置については、通常、放射線画像検出器と一体化した被写体台上に被写体を固定し、撮影する方法が行われてきた。しかし、この方法によると被写体が実寸大で撮影されることとなるが、画像のコントラストが十分に上がらず、乳房の病変部分等の特定部位の微細な構造を判読するために用いられる医療用撮影装置としては画像の鮮明さが不十分であるという問題があった。
【０００３】
そこで、近年、位相コントラスト画像を撮影する放射線画像撮影装置が提案されている。位相コントラスト画像とは、屈折コントラスト画像とも呼ばれるもので、以前はＳＰｒｉｎｇ−８など放射線源から得る単色の平行放射線による撮影や、１０（μｍ）程度の焦点サイズをもつマイクロ焦点放射線源による撮影によって得られるものと言われていたが、一般の医療施設等で用いられる放射線源（焦点サイズが３０〜３００（μｍ）の小焦点放射線源）でも得ることが可能であることが分かってきた。
【０００４】
例えば、特許文献１には、大型の装置を必要とするシンクロトロン放射光や、点光源と見なせるまでＸ線焦点サイズの小さなＸ線光源を用いることなく、エッジ強調の効果を得る技術が記載されている。この特許文献１によれば、Ｘ線焦点サイズＤが３０（μｍ）以上であるとき、放射線源であるＸ線管から被写体までの距離Ｒ１がＲ１≧（Ｄ−７）／２００（ｍ）の式を満足する領域であり、かつ被写体とＸ線検出器との距離Ｒ２が０．１５（ｍ）以上である場合に、エッジ強調画像が得られることが示されている。このとき、拡大率＝（Ｒ１＋Ｒ２）／Ｒ１の拡大撮影となる。
【０００５】
ところで、従来、位相コントラスト撮影を行う放射線画像撮影装置において拡大率を変更する場合、例えば、特許文献２に示すように、上述のＲ１を固定とし、Ｒ２を変更することで行っている。
【特許文献１】特開２００１−９１４７９号公報
【特許文献２】特開２００４−１７３８７９号公報
【発明の開示】
【発明が解決しようとする課題】
【０００６】
図７に、従来の放射線画像撮影装置において位相コントラスト撮影により乳房を撮影する際の放射線源６、被写体Ｈ、放射線画像検出器（Ｘ線検出器）を保持する検出器保持部１２（図中の数字は拡大率を示す）、位相コントラスト撮影を行う撮影室における床面（floor）及び天井（ceiling）の位置関係を模式的に示す。従来の放射線画像撮影装置においては放射線源６と被写体Ｈとの距離Ｒ１が固定となっているため、被写体Ｈの位置からＲ１の距離だけ垂直方向上方に放射線源６が位置する。即ち、被写体位置（被写体Ｈが乳房である場合、床面から被写体Ｈまでの高さ）に応じて放射線源６のトップの位置が高くなる。一方、撮影室の空間には限度がある。従って、身長が高い患者等、被写体Ｈとなる乳房の位置が高く、被写体Ｈの位置と天井との距離がＲ１に満たない場合、撮影を行えないこととなる。また、検出器保持部１２の位置は、被写体Ｈの位置と拡大率に基づき決まり、拡大率が大きくなるほどＲ２は大きくなる。そのため、身長が低い患者等、被写体Ｈとなる乳房の位置が低いと撮影可能な拡大率が制限される場合がある。
【０００７】
本発明の課題は、位相コントラスト撮影を行う放射線画像撮影装置において、位相コントラスト撮影が可能となる被写体位置の範囲を拡大し、より多くの患者の撮影に適用可能とすることである。
【課題を解決するための手段】
【０００８】
上記課題を解決するため、請求項１に記載の発明は、
焦点サイズＤが３０（μｍ）以上の放射線源と、被写体を透過した前記放射線源からの放射線を検出する放射線画像検出器を保持する検出器保持手段と、前記放射線源と前記検出器保持手段との間に配置された被写体固定用の被写体台と、を備え、前記放射線源から前記被写体までの距離Ｒ１をＲ１≧（Ｄ−７）／２００（ｍ）として位相コントラスト撮影を行う放射線画像撮影装置において、
前記放射線源と前記検出器保持手段とを一定の距離に維持するための保持手段と、
前記被写体台に対する前記放射線源及び前記検出器保持手段の相対距離を調節する調節手段と、
を備えたことを特徴としている。
【０００９】
請求項２に記載の発明は、請求項１に記載の発明において、
前記放射線源と前記検出器保持手段との距離Ｌ（ｍ）が０．９５（ｍ）以上であることを特徴としている。
【００１０】
請求項３に記載の発明は、請求項２に記載の発明において、
焦点サイズＤ＝１００（μｍ）であることを特徴としている。
【発明の効果】
【００１１】
請求項１に記載の発明によれば、位相コントラスト撮影を行う放射線画像撮影装置において、位相コントラスト撮影が可能となる被写体位置の範囲が拡大されるので、より多くの患者の撮影に適用可能となる。
【００１２】
請求項２、３に記載の発明によれば、撮影された画像の位相コントラスト効果を保証することができる。
【発明を実施するための最良の形態】
【００１３】
（乳房画像撮影装置１）
本実施の形態に係る乳房画像撮影装置１は、位相コントラスト撮影を行う放射線画像撮影装置である。以下、図を参照して乳房画像撮影装置１の構成について説明する。
図１、２に、乳房画像撮影装置１の構成例を示す。図１は、乳房画像撮影装置１の外観構成例を示す図であり、図２は、図１に示す乳房画像撮影装置１の撮影装置本体部２の内部構成を模式化して示す図である。なお、図２において、操作装置１４、電源部１５、駆動装置１７及び駆動装置１９は本体部９の制御装置１６（図３に図示）に接続されているが、ここでは図示しない。図１に示すように、乳房画像撮影装置１は、本体部９に支持基台３が昇降自在に設けられており、支持基台３には、支持基台３に設けられた支軸４を介して撮影装置本体部２が支持されている。支持基台３は、モータ等により構成される駆動装置１７に駆動されて昇降する。撮影装置本体部２は、駆動装置１７による支持基台３の昇降により昇降可能となっており、また、駆動装置１７により前記支軸４を支点として回動可能となっている。
【００１４】
撮影装置本体部２の上部には放射線を放射するための放射線源６が設けられ、この放射線源６は、支軸４及び支持基台３を介して本体部９と接続されている電源部１５に接続されている。放射線源６は、この電源部１５によって管電圧及び管電流を印加されるようになっている。放射線源６の放射線放射口には、放射線照射野を調節する照射野調整装置としての絞り装置７の絞り口が、開閉自在に設けられている。
【００１５】
放射線源６としては、回転陽極Ｘ線管とすることが好ましい。この回転陽極Ｘ線管においては、陰極から放射される電子線が陽極に衝突することでＸ線が発生する。これは自然光のようにインコヒーレント（非干渉性）であり、また平行光Ｘ線でもなく発散光である。電子線が陽極の固定した場所に当り続けると、熱の発生で陽極が傷むので、通常用いられるＸ線管では陽極を回転して陽極の寿命の低下を防いでいる。電子線を陽極の一定の大きさの平面に衝突させ、発生したＸ線はその一定の大きさ陽極の平面から被写体Ｈに向けて放射される。この平面を焦点（フォーカス）と呼ぶ。焦点サイズＤ（μｍ）は、焦点が正方形の場合、その一辺の長さを、焦点が長方形や多角形の場合、その短辺の長さを、焦点が円形の場合、その直径をさす。
【００１６】
焦点サイズＤが大きくなるほど照射される放射線量が多くなる。人体を透過するには実用上一定以上の放射線量が必要であるため、乳房画像撮影装置１では、人体を撮影するのに必要な放射線量を照射可能な、焦点サイズＤがＤ≧３０（μｍ）の放射線源６であることが好ましい。
【００１７】
撮影装置本体部２の下部には、被写体Ｈを透過した放射線を検出する放射線画像検出器（放射線検出器）として例えば輝尽性蛍光体シートを収納したカセッテを保持する検出器保持部１２が被写体台１０の下方であって放射線源６から略垂直に延在する位置に、放射線源６に対向するように取り付けられている。検出器保持部１２に保持された放射線画像検出器の最上面は、検出器保持部１２の最上面と一致する。放射線源６と検出器保持部１２は、図２に示すように保持部材８に取り付けられており、この保持部材８により放射線源６と検出器保持部１２との距離Ｌ（後述するＲ１＋Ｒ２）が一定距離に維持されている。この保持部材８は、モータ等により構成される駆動装置１９の駆動により昇降可能となっており、駆動装置１９による保持部材８の昇降により放射線源６及び検出器保持部１２が一定距離を保ちつつ昇降するようになっている。この放射線源６と検出器保持部１２との距離Ｌは、鋭意研究の結果、撮影画像の出力時の視認性の点からＬ≧０．９５（ｍ）とすることが好ましいことがわかった（図６参照）。
【００１８】
放射線画像検出器としては、上述の輝尽性蛍光体シートを収納したカセッテの他、例えば、スクリーン（増感紙）／フィルム、ＦＰＤ（flat panel detector）等を用いること
としてもよい。
【００１９】
撮影装置本体部２における放射線源６の下方及び検出器保持部１２の上方であって放射線源６から略垂直に延在する位置には、被写体Ｈを下から保持する被写体台１０及び被写体Ｈを上部から圧迫して固定するための圧迫板１１が配設されている。被写体台１０は、図２に示すように、撮影装置本体部２のホルダー５に取り付けられており、駆動装置１７による撮影装置本体部２の昇降に応じて昇降する。これにより、被写体Ｈの位置（乳房位置）に応じて被写体台１０の高さの調整が可能となっている。圧迫板１１は、撮影装置本体部２内に設けられた図示しない支持軸に沿って昇降可能に構成されている。
【００２０】
圧迫板１１の位置は、位置検知部１８（図３に図示）により検知され、本体部９の制御装置１６に出力される。位置検知部１８としては、赤外線を用いた測光による方式、圧迫板１１をスライドする支持軸のレールに線抵抗を設けて、その抵抗値測定から位置判別する方式などが採用できる。
【００２１】
検出器保持部１２の被写体台１０に対向する面と反対の面には、照射された放射線量の検出を行う放射線量検出部１３が設けられ、この放射線量検出部１３により検出された放射線量は本体部９の制御装置１６に出力される。
【００２２】
本体部９は、ＣＰＵ（Central Processing Unit）、ＲＯＭ(Read Only Memory)、ＲＡ
Ｍ（Random Access Memory）により構成される制御装置１６を備えている。図３に、乳房画像撮影装置１の機能構成例を示す。図３に示すように、制御装置１６には、照射された放射線量を検出する放射線量検出部１３、撮影条件等の入力を行うキーボードやタッチパネル、被写体台１０の位置の調整を行うための位置調整スイッチ（上方に調整する上方調整スイッチ、下方に調整する下方調整スイッチ）等を備える入力装置１４ａ、及びＣＲＴディスプレイや液晶ディスプレイ等の表示装置１４ｂを有する操作装置１４、装置の動力源である電源部１５、支持基台３の昇降による撮影装置本体部２の昇降及び撮影装置本体部２の回転を行う駆動装置１７、圧迫板１１の位置を検知する位置検知部１８、及び保持部材８の昇降を行う駆動装置１９がバス２０を介して接続されている。制御装置１６のＲＯＭには、乳房画像撮影装置１各部を制御するための制御プログラムが記憶されており、ＣＰＵは、この制御プログラムとの協働により撮影装置１各部の動作を統括的に制御し、位相コントラスト撮影を行う。例えば、ＣＰＵは、入力装置１４ａの位置調整スイッチが押下されると、これに応じて駆動装置１７を制御して被写体台１０の位置を調整し、撮影技師等の操作者により圧迫板１１の位置が調整されて被写体Ｈが押圧、固定され、入力装置１４ａにより位相コントラスト撮影における拡大率が入力されると、被写体台１０及び圧迫板１１の位置及び入力された拡大率に応じて駆動装置１９を制御して保持部材８を昇降させることにより、被写体台１０に対する放射線源６及び検出器保持部１２の相対的距離を調節する。そして、入力装置１４ａにより撮影が指示されると、電源部１５により、放射線源６に管電圧及び管電流を印加して被写体Ｈに対して放射線を照射させ、放射線量検出部１３から入力された放射線量が予め設定された放射線量に達すると、電源部１５により放射線源６からの放射線の照射を停止させる。  
【００２３】
ここで、図４を参照して位相コントラスト撮影の原理について説明する。位相コントラスト撮影とは、被写体Ｈと放射線画像検出器との間に一定の距離Ｒ２を設けることで、図４に示すように放射線の屈折に起因するエッジ強調（屈折コントラスト強調）画像を得るものである。図４に模式的に描くように、放射線が物体を通過するときに屈折して物体の境界内側の放射線密度が疎になり、さらに物体の外側は物体を通過しない放射線と重なることから放射線密度が上昇する。このようにして被写体境界部分であるエッジが画像として強調される。これは物体と空気との放射線に対する屈折率の差から生じる現象である。これがエッジ強調画像である。
【００２４】
さらに図４で原理的に示す空気と被写体との境界でのエッジ強調のみならず、物体内においても屈折率の異なる部分の境界部分も同様な効果が得られる。本発明での被写体境界部分とは放射線の屈折率の異なる物質との境界部分と表現することができる。
【００２５】
医療施設における実用範囲の感度領域及び装置サイズでこのエッジ強調画像を得るものとして、焦点サイズＤ（μｍ）が３０（μｍ）以上であるとき、放射線源６から被写体Ｈまでの距離Ｒ１がＲ１≧（Ｄ−７）／２００（ｍ）の式を満足する領域であり、かつ被写体Ｈと放射線画像検出器との距離Ｒ２が０．１５ｍ以上であることが好ましいことがわかっている（特開２００１−９１４７９号公報参照）。ここで、Ｒ１≧（Ｄ−７）／２００（ｍ）の式において代入するＤは、焦点サイズをμｍを単位として表したときの数値であり、例えば、焦点サイズＤ＝３０（μｍ）であれば、Ｒ１≧（３０−７）／２００＝０．１１５（ｍ）となる。
【００２６】
Ｒ１≧（Ｄ−７）／２００（ｍ）の式で示す距離よりＲ１が小さいときにはエッジ強調画像を得られることが難しく、もしくは認識しにくくなる。また、Ｒ１は大きくなるにつれ、放射線の強度が弱くなり、さらに広い空間を要するようになる。
【００２７】
被写体Ｈから放射線画像検出器までの距離Ｒ２を０．１５（ｍ）以上離す構成とすることにより放射線画像の鮮鋭性を劣化させる被写体Ｈからの散乱線の除去を行うことや、さらにエッジ強調を認識しやすくしている。
【００２８】
Ｒ２を０．１５ｍ以上とすれば、拡大率＝（Ｒ１＋Ｒ２）／Ｒ１の拡大撮影となる。ここでＲ１については、その起点は放射線源６の焦点の位置であり、通常の市販の放射線源６にはその場所が明示されている。また終点は被写体位置を固定する被写体台１０により固定された被写体Ｈの中心線であり、ここでは被写体台１０と圧迫板１１から等距離にある位置を被写体Ｈの中心線としている。Ｒ２については起点は被写体Ｈの中心線であり、終点は放射線画像検出器の放射線を受ける平面の最上面、即ち、検出器保持部１２の最上面である。
【００２９】
乳房画像撮影装置１は、上記位相コントラストとしての効果（エッジ強調効果）を発揮しうるよう、焦点サイズＤ≧３０（μｍ）となっており、撮影時においては、制御装置１６により、放射線源６から被写体Ｈまでの距離Ｒ１≧（Ｄ−７）／２００（ｍ）、被写体Ｈと放射線画像検出器との距離Ｒ２≧０．１５（ｍ）を満たす範囲で被写体台１０に対する放射線源６及び検出器保持部１２の位置の調節が行われる。
【００３０】
即ち、撮影時において、入力装置１４ａにより撮影方向を含む撮影条件が入力されると、制御装置１６は、入力された撮影方向が撮影装置本体部２の回転を必要とする撮影方向であるか否かを判断し、回転を必要とする撮影方向である場合、例えば、乳房を斜位方向から撮影するＭＬＯ（Medio-Lateral Oblique）である場合、駆動装置１７により撮影装置本体部２全体を所定量回転させる。入力装置１４ａの位置調整スイッチが押下されると、制御装置１６は、これに応じて駆動装置１７を制御して被写体台１０の位置を調整する。撮影技師等の操作者により圧迫板１１の位置が調整されて圧迫板１１により被写体Ｈが押圧、固定され、入力装置１４ａにより位相コントラスト撮影における拡大率（本実施の形態においては、１、４６倍、１．７５倍、２．６３倍のなかから選択）が入力されると、制御装置１６は、被写体台１０の移動量及び位置検知部１８からの位置情報に応じて被写体Ｈの位置を特定し、被写体台１０及び圧迫板１１の位置及び入力された拡大率に応じて駆動装置１９を制御して保持部材８を昇降させることにより、被写体台１０に対する放射線源６及び検出器保持部１２の相対的距離を調節する。このとき、（Ｒ１＋Ｒ２）／Ｒ１が入力された拡大率となる放射線源６及び検出器保持部１２の位置を演算し、放射線源６及び検出器保持部１２が求められた位置となるように保持部材８を昇降させる。そして、入力装置１４ａにより撮影が指示されると、制御装置１６は、電源部１５により、放射線源６に管電圧及び管電流を印加して被写体Ｈに対して放射線を照射させ、放射線量検出部１３から入力された放射線量が予め設定された放射線量に達すると、電源部１５により放射線源６からの放射線の照射を停止させる。
【００３１】
なお、被写体台１０に対する放射線源６及び検出器保持部１２の相対的距離の調節は、Ｒ１≧（Ｄ−７）／２００（ｍ）、Ｒ２≧０．１５（ｍ）を満たす範囲で行う。制御装置１６は、入力された拡大率ではこの範囲を満たさなくなる場合、表示装置１４ｂにエラーメッセージを表示させる。
【００３２】
このように、制御装置１６が駆動装置１９を制御して保持部材８を昇降させることで、被写体台１０に対する放射線源６と検出器保持部１２の相対距離を調節する調節手段が実現される。
【００３３】
図５に、本実施の形態における乳房画像撮影装置１において乳房画像を撮影する際の放射線源６、被写体Ｈ、検出器保持部１２（図中の数字は拡大率を示す）、位相コントラスト撮影を行う撮影室における床面及び天井の位置関係を模式的に示す。図５に示すように、本実施の形態においては拡大率が変わってもＲ１＋Ｒ２の距離Ｌは一定であるので、従来のように、拡大率が大きくなるほど床面と検出器保持部１２との間の距離が必要となり、被写体位置が低いとその距離が確保できずに撮影可能な拡大率が制限されてしまうといったことがなくなる。その結果、位相コントラスト撮影が可能となる被写体位置の範囲を拡大し、より多くの患者に適用することが可能となる。
【００３４】
（乳房画像撮影装置１の視認性の評価）
以下、放射線源６と検出器保持部１２との距離Ｌと撮影画像の視認性評価結果について説明する。
図６に、放射線源６と検出器保持部１２との距離ＬであるＲ１＋Ｒ２を１５５５、１１４０、９５０、７５０（ｍｍ）とし、それぞれのＲ１＋Ｒ２に対して拡大率を１．７５倍、１．４６倍にして乳房撮影を行ったときの各撮影画像の視認性の評価結果を示す。評価は目視により４段階評価により行い、◎：きわめて良い、○：良い、△：普通、まあまあ（診断に許容される程度と判断できる）、×：悪い、とした。評価は、図６に示す各項目別に行った。
【００３５】
評価にあたっては、乳房画像撮影装置１はコニカミノルタ株式会社で試作したものを用い、放射線画像検出器は同社製レジウスプレートＲＰ−５ＰＭ及びレジウスカセッテＲＣ−１１０Ｍを用いた。焦点サイズＤは、Ｄ＝１００（μｍ）とした。乳房撮影後の放射線画像検出器は、コニカミノルタ株式会社製regius model 190で４３．７５（μｍ）の読取画素ピッチで読み取り、読み取った画像はdrypro  model 793で２５（μｍ）の書き込みピッチで出力した。このとき、読み取り画像の各画素と出力画像の各画素を１：１に対応させて補間処理を行わずに出力し、拡大率１．７５倍の画像はライフサイズ（実寸大）で、拡大率１．４６倍の画像は実寸の０．８３倍で出力した。また、拡大率１．４６倍の撮影時に、１．２５倍の拡大補間処理を行い、拡大補間された画像を用いて書き込みピッチ２５（μｍ）で出力を行ったが、図６に示す結果と視認性の差異は見られなかった。
【００３６】
ここで、「出力」項目に寄与する因子はＲ１の距離である。一般的に、Ｒ１が大きく、放射線画像検出器に到達する単位時間当たりの放射線量が少ないと十分な濃度が得られない。
「均一性」項目に寄与する因子はＲ１の距離である。一般的に、Ｒ１はＲ１が小さすぎると放射線画像検出器全面に放射線を照射できないため、ムラが生じ、均一性が低くなる。
「鮮鋭性」「粒状性」に寄与する因子は拡大率であり、一般的に、拡大率が大きいほど良好な画像となる。
「散乱線含有率」に寄与する因子はＲ２であり、一般的に、Ｒ２が大きいほど散乱線が除去され良好な画像となる。
「位相コントラスト効果（エッジ強調効果）」に寄与する因子は拡大率及びＲ２であり、拡大率及びＲ２をともに大きくするほど位相コントラスト効果が得られ、良好な画像となる。
「総合評価」は、画像全体の視認性の評価結果である。
【００３７】
視認性評価の結果、Ｒ１＋Ｒ２≧９５０（ｍｍ）の場合、位相コントラスト効果及び総合評価の双方が診断に許容される評価が得られた。即ち、Ｒ１＋Ｒ２≧９５０（ｍｍ）とすれば、Ｒ１＋Ｒ２を固定として位相コントラスト撮影を行う放射線画像撮影装置において診断に許容される画像を得ることが確認された。
【００３８】
なお、上記評価結果では、焦点サイズＤ＝１００（μｍ）の例を示したが、Ｄは３０（μｍ）以上であれば１００（μｍ）以外でも効果を有する。
【００３９】
以上、本実施の形態における乳房画像撮影装置１について説明してきたが、上記実施の形態における記述内容は、本発明に係る乳房画像撮影装置１の好適な一例であり、これに限定されるものではない。また、乳房画像撮影装置１の細部構成及び細部動作に関しても、本発明の趣旨を逸脱することのない範囲で適宜変更可能である。
【図面の簡単な説明】
【００４０】
【図１】本発明に係る乳房画像撮影装置１の構成例を示す図である。
【図２】乳房画像撮影装置１の撮影装置本体部２の内部構成を模式的に示す図である。
【図３】乳房画像撮影装置１の機能的構成を示すブロック図である。
【図４】位相コントラスト撮影の原理を説明するための図である。
【図５】乳房画像撮影装置１において乳房画像を撮影する際の、放射線源６、被写体Ｈ、検出器保持部１２、床面及び天井の位置関係を模式的に示す図である。
【図６】乳房画像撮影装置１において放射線源６と検出器保持部１２との距離Ｌ（Ｒ１＋Ｒ２）及び拡大率を変化させて撮影を行ったときの各撮影画像の視認性評価結果を示す図である。
【図７】従来の乳房撮影用の放射線画像撮影装置において乳房画像を撮影する際の、放射線源６、被写体Ｈ、検出器保持部１２、床面及び天井の位置関係を模式的に示す図である。
【符号の説明】
【００４１】
１  乳房画像撮影装置
２  撮影装置本体部
３  支持基台
４  支軸
５  ホルダー
６  放射線源
７  絞り装置
８  保持部材
９  本体部
１０  被写体台
１１  圧迫板
１２  検出器保持部
１３  放射線量検出部
１４  操作装置
１４ａ  入力装置
１４ｂ  表示装置
１５  電源部
１６  制御装置
１７  駆動装置
１８  位置検知部
１９  駆動装置
２０  バス